(57)【要約】  本発明の遠心ポンプの製造方法は、ハウジング２と、ハウジング２内に回転可能に収納された回転体３と、回転体３を支持する支持機構４とを備える遠心ポンプ１を製造する方法であり、底部材２１と蓋部材２２とを組立てる組立工程と、組立状態で、底部材２１と蓋部材２２との境界部付近にレーザ光Ｌを照射することにより、底部材２１と蓋部材２２との融着を行う融着工程とを有している。
2016047332.tif 000002
【特許請求の範囲】
【請求項１】
中空体で構成され、その中空部に連通し、血液が流入する血液流入口と、前記中空部に連通し、前記血液流入口から流入した血液が流出する血液流出口とを有するハウジングと、
前記中空部内に回転可能に収納され、その回転により血液に遠心力を付与する遠心力付与部材とを備える遠心ポンプを製造する製造方法であって、
前記ハウジングは、底部材と蓋部材とを組立てた組立状態で接合されてなるものであり、
前記組立状態とする組立工程と、
前記組立状態で、前記底部材と前記蓋部材との境界部付近にレーザ光を照射することにより、前記底部材と前記蓋部材との融着を行う融着工程とを有することを特徴とする遠心ポンプの製造方法。
【請求項２】
前記融着工程では、前記底部材および前記蓋部材を回転させつつ前記レーザ光の照射を行い、全周にわたって前記融着を行う請求項１に記載の遠心ポンプの製造方法。
【請求項３】
前記レーザ光は、半導体レーザによるものである請求項１または２に記載の遠心ポンプの製造方法。
【請求項４】
前記底部材は、前記蓋部材に向って突出形成され、前記遠心力付与部材の回転中心軸回りに延在する第１の壁部を有し、
前記蓋部材は、前記底部材に向って突出形成され、前記回転中心軸回りに延在する第２の壁部を有し、
前記融着工程では、前記第１の壁部および前記第２の壁部のうちの一方の壁部が他方の壁部の外側に位置した状態で、前記一方の壁部の内周面と前記他方の壁部の外周面とを融着する請求項１ないし３のいずれか１項に記載の遠心ポンプの製造方法。
【請求項５】
前記第１の壁部および前記第２の壁部は、壁厚が薄くなっている薄肉部をそれぞれ有し、
前記融着工程では、前記各薄肉部同士を融着する請求項４に記載の遠心ポンプの製造方法。
【請求項６】
前記底部材および前記蓋部材は、それぞれ光透過性を有するものであり、
前記組立工程に先立って、前記一方の壁部の内周面と前記他方の壁部の外周面とのうちの少なくとも一方の面に光吸収材を供給する光吸収材供給工程を有している請求項４または５に記載の遠心ポンプの製造方法。
【請求項７】
前記光吸収材供給工程では、前記第１の壁部および前記第２の壁部のうちの内側に位置している壁部に前記光吸収材を供給する請求項６に記載の遠心ポンプの製造方法。
【請求項８】
底部材と蓋部材とを組立てたものであり、血液が流入する血液流入口と、前記血液流入口から流入した血液が流出する血液流出口とを有するハウジングと、
前記ハウジング内に回転可能に収納され、その回転により血液に遠心力を付与する遠心力付与部材とを備える遠心ポンプであって、
請求項１ないし７のいずれか１項に記載の遠心ポンプの製造方法により製造されることを特徴とする遠心ポンプ。
【発明の詳細な説明】
【技術分野】
【０００１】
本発明は、遠心ポンプの製造方法および遠心ポンプに関する。
【背景技術】
【０００２】
従来、血液を搬送する血液ポンプとしては、遠心力によって血液を送り出すターボ型のポンプがあり、中空のハウジングと、ハウジング内に回転可能に収納されたインペラと、インペラの回転中心となる回転軸（軸部材）とを備えるものが知られている（例えば、特許文献１参照）。【０００３】
このような構成の遠心ポンプでは、組立て易いという観点から、一般的には、底部材と、底部材に接合される蓋部材とで構成されている。また、この場合、底部材と蓋部材とは、それらの境界部に溶剤や接着剤等を介在させて接着または溶着を行う。【０００４】
しかしながら、上記の方法で遠心ポンプを製造した場合、遠心ポンプの使用時間や、インペラの回転数等によっては、底部材と蓋部材との境界部付近に応力が集中し、その結果、境界部付近にクラックが発生するおそれがある。
【先行技術文献】
【特許文献】
【０００５】
【特許文献１】米国特許第２８１０３４９号明細書
【発明の概要】
【発明が解決しようとする課題】
【０００６】
本発明の目的は、底部材および蓋部材を高い接合強度で、かつ、良好に接合することができる遠心ポンプの製造方法およびかかる方法によって製造される遠心ポンプを提供することにある。
【課題を解決するための手段】
【０００７】
このような目的は、下記（１）〜（８）の本発明により達成される。
（１）  中空体で構成され、その中空部に連通し、血液が流入する血液流入口と、前記中空部に連通し、前記血液流入口から流入した血液が流出する血液流出口とを有するハウジングと、
前記中空部内に回転可能に収納され、その回転により血液に遠心力を付与する遠心力付与部材とを備える遠心ポンプを製造する製造方法であって、
前記ハウジングは、底部材と蓋部材とを組立てた組立状態で接合されてなるものであり、
前記組立状態とする組立工程と、
前記組立状態で、前記底部材と前記蓋部材との境界部付近にレーザ光を照射することにより、前記底部材と前記蓋部材との融着を行う融着工程とを有することを特徴とする遠心ポンプの製造方法。【０００８】
（２）  前記融着工程では、前記底部材および前記蓋部材を回転させつつ前記レーザ光の照射を行い、全周にわたって前記融着を行う上記（１）に記載の遠心ポンプの製造方法。【０００９】
（３）  前記レーザ光は、半導体レーザによるものである上記（１）または（２）に記載の遠心ポンプの製造方法。【００１０】
（４）  前記底部材は、前記蓋部材に向って突出形成され、前記遠心力付与部材の回転中心軸回りに延在する第１の壁部を有し、
前記蓋部材は、前記底部材に向って突出形成され、前記回転中心軸回りに延在する第２の壁部を有し、
前記融着工程では、前記第１の壁部および前記第２の壁部のうちの一方の壁部が他方の壁部の外側に位置した状態で、前記一方の壁部の内周面と前記他方の壁部の外周面とを融着する上記（１）ないし（３）のいずれかに記載の遠心ポンプの製造方法。【００１１】
（５）  前記第１の壁部および前記第２の壁部は、壁厚が薄くなっている薄肉部をそれぞれ有し、
前記融着工程では、前記各薄肉部同士を融着する上記（４）に記載の遠心ポンプの製造方法。【００１２】
（６）  前記底部材および前記蓋部材は、それぞれ光透過性を有するものであり、
前記組立工程に先立って、前記一方の壁部の内周面と前記他方の壁部の外周面とのうちの少なくとも一方の面に光吸収材を供給する光吸収材供給工程を有している上記（４）または（５）に記載の遠心ポンプの製造方法。【００１３】
（７）  前記光吸収材供給工程では、前記第１の壁部および前記第２の壁部のうちの内側に位置している壁部に前記光吸収材を供給する上記（６）に記載の遠心ポンプの製造方法。【００１４】
（８）  底部材と蓋部材とを組立てたものであり、血液が流入する血液流入口と、前記血液流入口から流入した血液が流出する血液流出口とを有するハウジングと、
前記ハウジング内に回転可能に収納され、その回転により血液に遠心力を付与する遠心力付与部材とを備える遠心ポンプであって、
上記（１）ないし（７）のいずれかに記載の遠心ポンプの製造方法により製造されることを特徴とする遠心ポンプ。
【発明の効果】
【００１５】
本発明によれば、底部材および蓋部材を接合する際、組立状態で、底部材および蓋部材の境界部付近にレーザ光を照射することにより、底部材および蓋部材の融着を行うため、均一で良好、かつ、高い接合強度で底部材および蓋部材を接合することができる。よって、長時間遠心ポンプを使用しても、クラックの発生等の不具合を防止または抑制することができる。
【図面の簡単な説明】
【００１６】
【図１】図１は、本発明の遠心ポンプの実施形態を示す断面側面図である。
【図２】図２は、本発明の遠心ポンプの実施形態を示す断面平面図である。
【図３】図３は、本発明の遠心ポンプの製造方法を示す縦断面図であって、用意工程を示す図である。
【図４】図４は、本発明の遠心ポンプの製造方法を示す縦断面図であって、接合工程を示す図である。
【図５】図５は、本発明の遠心ポンプの製造方法を示す縦断面図であって、図３に示すハウジングの部分拡大図である。
【図６】図６は、本発明の遠心ポンプの製造方法を示す縦断面図であって、図４に示すハウジングの部分拡大図である。
【発明を実施するための形態】
【００１７】
以下、本発明の遠心ポンプの製造方法および遠心ポンプを添付図面に示す好適な実施形態に基づいて詳細に説明する。
【００１８】
＜第１実施形態＞
図１は、本発明の遠心ポンプの実施形態を示す断面側面図である。図２は、本発明の遠心ポンプの実施形態を示す断面平面図である。図３は、本発明の遠心ポンプの製造方法を示す縦断面図であって、用意工程を示す図である。図４は、本発明の遠心ポンプの製造方法を示す縦断面図であって、接合工程を示す図である。図５は、本発明の遠心ポンプの製造方法を示す縦断面図であって、図３に示すハウジングの部分拡大図である。図６は、本発明の遠心ポンプの製造方法を示す縦断面図であって、図４に示すハウジングの部分拡大図である。
【００１９】
なお、以下では、説明の都合上、図１、図３（図５〜図９についても同様）の上側を「上」または「上方」、下側を「下」または「下方」と言う。
【００２０】
図１に示す遠心ポンプ１は、中空体で構成されたハウジング２と、ハウジング２内に回転可能に収納された回転体（インペラ）３と、回転体３をハウジング２に対し回転可能に支持する支持機構４とを備えている。以下、各部の構成について説明する。
【００２１】
ハウジング２は、ハウジング本体２０と、血液Ｑが流入する血液流入ポート２５と、血液Ｑが流出する血液流出ポート２６とを有している。
【００２２】
ハウジング本体２０は、偏平な円筒状の部材で構成され、底部材２１と、血液流入ポート２５および血液流出ポート２６が形成された蓋部材２２とを有し、これらを組立てた組立状態で接合されてなるものである。
【００２３】
底部材２１は、円板状をなし、その上面の縁部から突出形成され、周方向に延在する側壁（第１の壁部）２１１を有している。また、側壁２１１は、その上端部に厚さが薄くなっている薄肉部２１２と、厚さが一定の厚さ一定部２１３とを有している。薄肉部２１２は、ハウジング本体２０の周方向の全域にわたって設けられている。また、薄肉部２１２は、上側に向って厚さが薄くなっており、その内周面２１２ａは傾斜している（図５参照）。
【００２４】
蓋部材２２は、天板２２１と、天板２２１の下面の縁部から突出形成され、周方向に延在する側壁（第２の壁部）２２２とを有している。また、側壁２２２は、厚さ一定部２２４の下端部に設けられ、厚さが薄くなっている薄肉部２２３と、厚さが一定の厚さ一定部２２４とを有している。薄肉部２２３は、ハウジング本体２０の周方向の全域にわたって設けられている。また、薄肉部２２３は、下側に向って厚さが薄くなっており、その外周面２２３ａは傾斜している（図５参照）。
【００２５】
また、組立状態では、薄肉部２１２は、薄肉部２２３の外側に位置している。薄肉部２１２と薄肉部２２３との境界部は、当該境界部付近にレーザ光を照射することにより、融着された融着部１００となっている。この融着部１００は、ハウジング本体２０の全周にわたって形成されている。このことについては、後に詳述する。
【００２６】
そして、底部材２１と蓋部材２２とで囲まれた偏平な空間（中空部）がポンプ室２４となる。
【００２７】
また、血液流入ポート２５と血液流出ポート２６とは、それぞれ、ポンプ室２４に連通している。そして、血液流入ポート２５から流入した血液Ｑは、ポンプ室２４を介して、血液流出ポート２６から流出することができる。
【００２８】
図１に示すように、血液流入ポート２５は、天板２２１（一端部）の中心部に管状（円筒状）に突出形成されている。血液流入ポート２５は、その長手方向の途中が屈曲しており、当該屈曲部２５１を境界部として天板２２１側の根元部２５２と、それと反対側の接続部２５３とに分けることができる。接続部２５３は、回転体３の回転軸に対して傾斜して設けられている。この接続部２５３には、例えば血液回路を構成するチューブを接続することができる。
【００２９】
図２に示すように、血液流出ポート２６は、側壁２２２の外周面（外周部）に管状に突出形成されている。この血液流出ポート２６は、側壁２２２の外周面の接線方向に向かって突出している。
【００３０】
ハウジング本体２０のポンプ室２４内には、円盤状をなす回転体３が同心的に配置されている。この回転体３は、回転することにより、血液Ｑに遠心力を付与する遠心力付与部材である。
【００３１】
図２に示すように、回転体３は、血液Ｑが通過する複数本（図示の構成では６本）の血液流路３１を有している。これらの血液流路３１は、回転体３の中心から放射状に形成されている。また、各血液流路３１の回転体３の中心側の部分同士は、互いに合流（交差）しており、回転体３の上面３２に開口している。一方、血液流路３１の回転体３の中心側と反対側の部分は、それぞれ、回転体３の外周面３３に開口している。また、回転体３の外周面３３とハウジング２の側壁２２２の内周面との間には、間隙２４１が形成されている。
【００３２】
そして、このような回転体３が、ハウジング２を上から見たような図２のように軸部材５を中心に時計回りに回転すると、血液流入ポート２５から流入した血液Ｑは、各血液流路３１にその回転体３の中心側の部分から入り込み、遠心力を受けて、血液流路３１を流下する。この流下した血液Ｑは、間隙２４１内に流出する。その後、血液Ｑは、間隙２４１内で図２中の時計回りの回転力を受けて、血液流出ポート２６に至ると、当該血液流出ポート２６から確実に排出されることとなる。
【００３３】
図１に示すように、回転体３には、血液流路３１の下側の部分に、磁石が設置されている。なお、図１に示す構成では、複数（例えば６つ）の永久磁石３４を用いている。遠心ポンプ１を駆動するに際しては、後述する軸部材５が鉛直方向と平行となるようにハウジング２の底部材２１を下側にして、当該遠心ポンプ１を外部駆動手段（図示せず）に装着する。この装着状態で遠心ポンプ１が使用される。外部駆動手段は、例えば、モータと、モータに連結された永久磁石とを有し、この永久磁石が遠心ポンプ１に内蔵された永久磁石３４と磁力により引き付け合う。そして、この状態でモータが回転すると、その回転力が前記引き付け合う磁石同士を介して伝達されて、回転体３も回転することができる。
【００３４】
なお、回転体３の直径は、特に限定されないが、例えば、２０〜２００ｍｍであるのが好ましく、３０〜１００ｍｍであるのがより好ましい。回転体３の厚さは、特に限定されないが、例えば、３〜４０ｍｍであるのが好ましく、５〜３０ｍｍであるのがより好ましい。回転体３の最大回転数は、特に限定されないが、例えば、２０００〜６０００ｒｐｍであるのが好ましく、２５００〜５０００ｒｐｍであるのがより好ましい。
【００３５】
また、回転体３およびハウジング２の構成材料としては、特に限定されず、例えば、硬質ポリ塩化ビニル、ポリエチレン、ポリプロピレン、ポリスチレン、ポリカーボネート、アクリル樹脂、ポリメチルメタクリレート（ＰＭＭＡ）等のアクリル系樹脂、ポリエチレンテレフタレート（ＰＥＴ）、ポリブチレンテレフタレート（ＰＢＴ）のようなポリエステル、ポリサルフォン、ポリアリレート等の各種硬質樹脂が挙げられる。また、これらの構成材料うちでも、特に、血液Ｑとの適合性に優れ、また、透明性、成形加工性に優れるという点で、ポリカーボネート、アクリル樹脂が好ましい。なお、ハウジング２の構成材料は、上記の樹脂材料のうち、光透過性を有するものとされる。
【００３６】
特に、ハウジング２（底部材２１および蓋部材２２）の構成材料の融点は、特に限定されないが、２００〜４００℃程度のものが好ましく、２５０〜３５０℃程度のものがより好ましい。このような材料を用いることにより、融着後の固定が早くなり、融着部１００の融着性、融着の均一性がより向上する。
【００３７】
図１に示すように、回転体３は、支持機構４を介してハウジング２に対し回転可能に支持されている。支持機構４は、軸部材５と、軸部材５の上端部（一端部）を回転可能に支持する第１の軸受け６と、軸部材５の下端部（他端部）を回転可能に支持する第２の軸受け７とを有している。
【００３８】
軸部材５は、回転体３の回転中心に設置されている。軸部材５は、両端部が丸みを帯びた棒状の部材で構成されている。軸部材５の構成材料としてセラミックを用いる場合、軸部材５の両端部は、研磨を施すことで軸部材５が回転する際の両端部の摺動性が向上する。また、軸部材５の構成材料として金属材料を用いる場合、軸部材５の両端部には、研磨を施した上で、例えば、ダイヤモンドライクカーボン（ＤＬＣ）やチタン等のコーティングが施されていてもよい。これにより、軸部材５が回転する際の両端部の摺動性や耐久性が向上する。
【００３９】
第１の軸受け６は、血液流入ポート２５の接続部２５３の内周部に凹没して形成された第１の軸受け設置部（凹部）２５４に設置、固定されている。第２の軸受け７は、ハウジング２の底部材２１の中心部に凹没して形成された第２の軸受け設置部２２５に設置、固定されている。なお、第１の軸受け６、第２の軸受け７のハウジング２に対する固定方法としては、特に限定されないが、例えば、嵌合による方法、接着（接着剤や溶媒による接着）による方法、融着（熱融着、高周波融着、超音波融着等）による方法、インサート成形による方法等が挙げられる。
【００４０】
次に、遠心ポンプ１の製造方法について説明する。
遠心ポンプ１の製造方法は、［１］用意工程と、［２］光吸収材供給工程と、［３］組立工程と、［４］接合工程とを備えている。
【００４１】
［１］用意工程
図３および図４に示すように、まず、底部材２１、蓋部材２２、回転体３、支持機構４および治具８を用意する。
【００４２】
治具８は、底部材２１を保持する保持具８１と、底部材２１および蓋部材２２に加圧を行う加圧具８２とを有している。
【００４３】
保持具８１は、円板状（ブロック状）をなし、その上面には、底部材２１の下端部を挿入し固定する凹部８１１が形成されている。また、保持具８１は、図示しないターンテーブルに固定されており、回転体３の回転中心回りに回転可能になっている。
【００４４】
加圧具８２は、横断面形状が円形の有底筒状をなし、その内側に血液流入ポート２５を挿入可能な内部空間８２１を有している。この内部空間８２１は、ハウジング本体２０を加圧する際、血液流入ポート２５の逃げ部として機能する。また、加圧具８２の下端面８２２は、蓋部材２２の天板２２１の形状に沿って傾斜している。
【００４５】
［２］光吸収材供給工程
次に、図５に示すように、レーザ光を吸収する光吸収材２００を蓋部材２２の薄肉部２２３の表面に塗布（供給）する。光吸収材２００としては、例えば、カーボンブラック等の粉末、該粉末や後述する染料を含む液状（ペースト状）のもの、または該粉末や該染料を含むシート状（層状）のものが挙げられる。
【００４６】
本実施形態では、液状（ペースト状）の光吸収材２００を用い、この光吸収材２００を薄肉部２２３の端面２２３ｂと、薄肉部２２３の外周面２２３ａと、厚さ一定部２２４の端面２２４ａとに塗布する。これら端面２２３ｂ、外周面２２３ａおよび端面２２４ａは、連続しており、かつ、それらの境界は丸みを帯びている。これにより、光吸収材２００を塗布する際、光吸収材気泡が混在したりするのを防止または抑制することができる。
【００４７】
また、液状（ペースト状）の光吸収材２００を用いることにより、光吸収材２００が、その形状が自由に変えられるため、本実施形態のように塗布する面が、湾曲または屈曲した異形の場合に適している。
【００４８】
液状（ペースト状）の光吸収材２００の塗布方法としては、特に限定されず、スプレーコート（スプレー塗装）、刷毛塗り、ディッピング、滴下等、いずれの塗布方法を用いてもよい。
【００４９】
なお、例えば、シート状の光吸収材２００を用いる場合、薄肉部２２３の形状と同形状（円環状）に打ち抜かれた（切り取られた）シート状の光吸収材２００を用意し、これを後述の［２］組立工程の際に、薄肉部２１２と薄肉部２２３との間に介在させる。シート状の光吸収材２００を用いることにより、予め円環状のものを用意（製造）しておき、それを目的部位に装着すればよいので、ペースト状の光吸収材２００を用いる場合に比べ、介在させる操作が簡単であるという利点がある。
【００５０】
また、光吸収材２００を構成する光吸収物質（レーザ光吸収物質）として、次に挙げるような、融着部１００の透明度をできるだけ低下させないものを用いることができる。このような光吸収物質としては、可視光領域（０．４μｍ以上０．７μｍ未満）の吸収が少なく、０．７〜２．５μｍのレーザ光波長領域において狭い吸収帯で高いモル吸光度係数を示すものが好ましく、例えば、シアニン染料、スクウォリリウム染料、クロコニウム染料等の染料が挙げられる。
【００５１】
具体例を挙げて説明すると、例えば、シアニン染料としては、下記化学式１で示される化合物、スクウォリリウム染料としては、下記化学式２で示される化合物、クロコニウム染料としては、下記化学式３で示される化合物を用いることができる。
【００５２】
【化１】
2016047332.tif 000003
【００５３】
【化２】
2016047332.tif 000004
【００５４】
【化３】
2016047332.tif 000005
【００５５】
光吸収材２００として上記のようなレーザ光吸収物質を用いることにより、融着部１００の透明度の低下を極力抑えることができるので、透明な材料で構成される底部材２１および蓋部材２２に対し、融着部１００が着色されて目立ってしまい、外観上の統一感を損なうということも防止される。
【００５６】
光吸収材２００がハウジングと同種の素材、例えばポリカーボネートに練り込まれたものを使用し、薄肉部２２３へ２色成形などの成形方法を用いて供給しても良い。
【００５７】
［３］組立工程
図４に示すように、回転体３および支持機構４を内側に収納するように、底部材２１および蓋部材２２を組立てる。このとき、蓋部材２２の外周面２２３ａは、底部材２１の内周面２１２ａによって案内されるため、底部材２１に対して容易に位置決めされる。これにより、容易に組立状態とすることができる。
【００５８】
そして、組立状態の遠心ポンプ１（以下、この組立状態の遠心ポンプ１を「遠心ポンプ１’」とも言う）を保持具８１の凹部８１１内に固定し、加圧具８２の下端面８２２を天板２２１の上面に配置する。
【００５９】
［４］接合工程
次に、図６に示すように、レーザ光Ｌを光吸収材２００に向って照射する。レーザ光Ｌは、底部材２１の薄肉部２１２を透過して、光吸収材２００に照射される。光吸収材２００に照射されたレーザ光Ｌは、効率良く光吸収材２００に吸収され、熱に変わるので、低出力で効率的に融着を行うことができる。
【００６０】
また、レーザ光Ｌの光源を固定し、保持具８１を遠心ポンプ１’ごと回転させて光吸収材２００の全周にわたってレーザ光Ｌを照射する。これにより、底部材２１および蓋部材２２を全周にわたって融着することができる、すなわち、ハウジング２の全周にわたって融着部１００を形成することができる。よって、融着強度（接合強度）の向上を図ることができる。
【００６１】
また、図６に示すように、底部材２１の薄肉部２１２と、蓋部材２２の薄肉部２２３とがハウジング２の径方向に重なっている重なり部３００の図６中上下方向の全長にわたってレーザ光Ｌを照射する。これにより、レーザ光Ｌを照射しつつ遠心ポンプ１’を１回転させるという簡単な方法で融着部１００を形成することができる。
【００６２】
また、薄肉部２１２と薄肉部２２３とを接合することにより、できるだけ接合面積（融着面積）をできるだけ大きくすることができる。よって、底部材２１と蓋部材２２とをより高い接合強度で接合することができる。さらに、薄肉部２１２は、厚さが薄くなっているので、レーザ光Ｌが透過する際、減衰を抑制することができる。
【００６３】
特に、図６に示すように、薄肉部２１２の内周面２１２ａと、薄肉部２２３の外周面２２３ａとは、それぞれ回転体３の回転中心に対して傾斜して設けられている。これにより、遠心ポンプ１の使用中にハウジング２の内圧が上昇した場合、薄肉部２２３の外周面２２３ａが、薄肉部２１２の内周面２１２ａに押しつけられる方向に力が作用する。よって、底部材２１および蓋部材２２が互いに離脱する方向に力が加わったり、それに起因するクラックの発生や融着部１００の破損を確実に防止することができる。
【００６４】
このように、本発明では、レーザ光Ｌの照射により融着を行うため、従来の接合方法に比べて、接合ムラ（融着ムラ）が少なく、周方向に沿って均一な融着が可能となり、ピンホール、部分剥離、気泡の混入等の融着欠陥も生じ難い。よって、融着部１００は、高い融着強度（接合強度）が得られる。その結果、遠心ポンプの使用中に、融着部１００や、その周辺部に応力が集中することにより生じるクラック等を防止または抑制することができる。
【００６５】
また、超音波融着のように、融着の際にかすが生じることがないので、遠心ポンプ１の製造に際し、かすを取り除くために遠心ポンプ１を洗浄する工程（洗浄や洗浄後の乾燥等を含む）を行わずに済み、簡単かつ少ない工程で製造することができる。さらに、接着剤による接着や、溶剤による融着に比べ比較的短時間で、かつ、良好に接合を行うことができる。
【００６６】
また、別途用意された光吸収材２００を用いることにより、レーザ光を吸収させるために底部材２１や蓋部材２２そのものを着色する必要がなく、底部材２１や蓋部材２２を実質的に透明なものとすることができるので、内部の視認性を十分に確保することができる。
【００６７】
照射するレーザ光Ｌの種類としては、特に限定されず、例えば、半導体レーザ、ＣＯ２レーザ、ＹＡＧレーザ、エキシマレーザ等が挙げられるが、その中でも特に、半導体レーザがエネルギー効率が良く、寿命が長いという理由で好ましい。
【００６８】
照射するレーザ光Ｌの波長は、概ね、前記レーザ光Ｌの種類に依存するが、半導体レーザの場合、波長は、８００〜１０００ｎｍ程度であるのが好ましい。
【００６９】
レーザ光Ｌのビーム径は、特に限定されないが、重なり部３００の図６中の上下方向の長さと同じかまたは若干大きいのが好ましい。これにより、重なり部３００にレーザ光Ｌを照射しつつ、底部材２１および蓋部材２２を回転させるという簡単な方法により、光吸収材２００の図６中上下方向の全長にわたってレーザ光Ｌを確実に照射することができる。よって、容易に融着を行うことができる。
【００７０】
また、本実施形態では、融着を行う際、加圧具８２により底部材２１および蓋部材２２をそれらが接近する方向に押圧力Ｐで加圧（押圧）する。これにより、融着強度をより高めることができる。また、このとき、加圧具８２は、下端面８２２で蓋部材２２の天板２２１の縁部、すなわち、側壁２２２の付け根付近を押圧する。これにより、加圧具８２の加圧力（抑え力）は、側壁２２２に効率よく伝達される。よって、押圧による底部材２１と蓋部材２２との位置ズレを防止することができるとともに、底部材２１および蓋部材２２の境界部をハウジング２の全周にわたってできるだけ均一に押圧することができる。
【００７１】
また、上記のような加圧は、図４に示す加圧前の第１の軸受け６と第２の軸受け７との離間距離Ｄ０に対して、加圧後の第１の軸受け６と第２の軸受け７と離間距離が９８〜９９％になる程度であるのが好ましい。このように予め締め付けた状態で融着を行うことにより、融着後の遠心ポンプ１の使用中において、ハウジング２内の内圧が高まり、ハウジング２が回転体３の回転中心方向に押し広げられた場合であっても、軸部材５がハウジング２内で、その軸方向にズレるのを防止することができる。よって、このズレに起因する溶血の発生を確実に防止することができる。
【００７２】
このように、本発明によれば、底部材２１と蓋部材２２とをレーザ光Ｌの照射により融着するため、従来の接合方法に比べて、底部材２１と蓋部材２２との融着強度（接合強度）を高めることができる。これにより、遠心ポンプ１の使用中に、融着部１００や、その周辺部に応力が集中することにより生じるクラックの発生等を防止または抑制することができる。
【００７３】
以上、本発明の遠心ポンプの製造方法および遠心ポンプを図示の実施形態について説明したが、本発明は、これに限定されるものではなく、遠心ポンプを構成する各部は、同様の機能を発揮し得る任意の構成のものと置換することができる。また、任意の構成物（工程）が付加されていてもよい。
【００７４】
なお、前記実施形態では、光吸収材供給工程を行った後に組立工程を行っているが、本発明ではこれに限定されず、組立工程を行った後に光吸収材供給工程を行ってもよい。この場合、底部材と蓋部材との境界部に毛管現象を利用して光吸収材を介在させることができる。
【００７５】
また、前記実施形態では、光吸収工程において、蓋部材の薄肉部に光吸収材を供給しているが、本発明ではこれに限定されず、底部材の薄肉部に光吸収材を供給してもよく、底部材の薄肉部および蓋部材の薄肉部の双方に光吸収材を供給してもよい。
【００７６】
また、前記実施形態では、底部材の薄肉部は、蓋部材の薄肉部の外側に位置しているが、本発明ではこれに限定されず、底部材の薄肉部は、蓋部材の薄肉部の内側に位置していてもよい。
【産業上の利用可能性】
【００７７】
本発明の遠心ポンプの製造方法は、中空体で構成され、その中空部に連通し、血液が流入する血液流入口と、前記中空部に連通し、前記血液流入口から流入した血液が流出する血液流出口とを有するハウジングと、前記中空部内に回転可能に収納され、その回転により血液に遠心力を付与する遠心力付与部材とを備える遠心ポンプを製造する製造方法であって、前記ハウジングは、底部材と蓋部材とを組立てた組立状態で接合されてなるものであり、前記組立状態とする組立工程と、前記組立状態で、前記底部材と前記蓋部材との境界部付近にレーザ光を照射することにより、前記底部材と前記蓋部材との融着を行う融着工程とを有することを特徴とする。そのため、底部材および蓋部材を高い接合強度で、かつ、良好に接合することができる。
【符号の説明】
【００７８】
１、１'          遠心ポンプ
２              ハウジング
２０            ハウジング本体
２１            底部材
２１１          側壁
２１２          薄肉部
２１２ａ        内周面
２１３          厚さ一定部
２２            蓋部材
２２１          天板
２２２          側壁
２２３          薄肉部
２２３ａ        外周面
２２３ｂ        端面
２２４          厚さ一定部
２２４ａ        端面
２２５          第２の軸受け設置部
２４            ポンプ室
２４１          間隙
２５            血液流入ポート
２５１          屈曲部
２５２          根元部
２５３          接続部
２５４          第１の軸受け設置部
２６            血液流出ポート
３              回転体
３１            血液流路
３２            上面
３３            外周面
３４            永久磁石
４              支持機構
５              軸部材
６              第１の軸受け
７              第２の軸受け
８              治具
８１            保持具
８１１          凹部
８２            加圧具
８２１          内部空間
８２２          下端面
１００          融着部
２００          光吸収材
３００          重なり部
Ｄ０            離間距離
Ｌ              レーザ光
Ｐ              押圧力
Ｑ              血液
【図１】
2016047332.tif 000006
【図２】
2016047332.tif 000007
【図３】
2016047332.tif 000008
【図４】
2016047332.tif 000009
【図５】
2016047332.tif 000010
【図６】
2016047332.tif 000011
【国際調査報告】
2016047332.tif 000012
2016047332.tif 000013
2016047332.tif 000014
2016047332.tif 000015